(57)【要約】【課題】  ネットワーク上の電子機器において、より省エネルギーを達成できる電子機器の制御方法を提供する。【解決手段】  複合機を、常時電源をオンしておき、ＦＡＸ受信する際に動作する回路を含む回路部３４Ａと、省電力モードで電源オフし、プリント、画像読み取りに関する回路を含む回路部３４Ｂとで構成し、ネットワーク上の端末装置から複合機へのプリント、ＦＡＸ送信等のジョブをハブ２でパケット受信すると、ハブ２から複合機１に給電し、この給電によりスイッチ回路３１をオンし、電源Ｂ３０より回路部３４Ｂに電源を供給し、通常モードとする。複合機１におけるジョブ終了で、ハブ２に給電オフ依頼のパケットを送信し、ハブ２は複合機１への給電をオフし、スイッチ回路３１をオフし、電源Ｂ３０より回路部３４Ｂへの電源をオフし、省電力モードとする。【選択図】      図３
2006135822.tif 000002
【特許請求の範囲】
【請求項１】
少なくとも一部の回路部の電源をオフして省エネルギーを図る電子機器において、
ネットワーク上の中継装置において、前記電子機器へのパケットを受信した場合には、中継装置から電子機器に給電し、電子機器を省エネルギー状態から通常状態に復帰させることを特徴とする電子機器の制御方法。
【請求項２】
前記中継装置からの給電に基づき、前記電子機器の電源をオンすることを特徴とする請求項１記載の電子機器の制御方法。
【請求項３】
前記電子機器が省エネルギー状態に移行しようとするときには、前記中継装置に対して給電の停止を依頼する情報を含むパケットを送信することを特徴とする請求項１又は請求項２記載の電子機器の制御方法。
【発明の詳細な説明】
【技術分野】
【０００１】
この発明は、省エネルギー機能を有する電子機器の制御方法に関する。
【背景技術】
【０００２】
一般に、画像情報処理装置として、スキャナ機能、プリンタ機能、コピー機能、ファクシミリ機能を搭載した複合機が知られている。この複合機は、ＬＡＮに接続して用いることができる。
【０００３】
一方、この種の複合機は、省電力の観点から使用されない時の待機電力を小さくすることが行われている。例えば、ジョブが実行された後、所定時間次のジョブが実行されないと、省エネルギーモードに移行する複合機が知られている。しかるに、スキャンやコピーの場合は、ユーザが複合機を直接操作するため、省エネルギーモードからの解除は簡単に行える。しかし、ＬＡＮ上のコンピュータからのプリント、ＦＡＸ送信は、いつジョブが発生するか分からないため、常時それを受信し得るように、ＮＩＣ（Ｎｅｔｗｏｒｋ  Ｉｎｔｅｒｆａｃｅ  Ｃａｒｄ）には常時通電するようにした複合装置が開示されている（例えば、特許文献１参照）。
【特許文献１】特開平１１−２８９４１９号公報
【発明の開示】
【発明が解決しようとする課題】
【０００４】
上記した複合機において、ＬＡＮ上からのプリント、ＦＡＸ送信を受けるためにＮＩＣには常時通電している必要があり、省エネルギーの観点からはまだ十分でない。
【０００５】
ところで近年、ＬＡＮとして、商品名Ｐｏｗｅｒ  Ｏｖｅｒ  Ｅｔｈｅｒｎｅｔ（ＰＯＥ、ＩＥＥＥ８０２．３ａｆ）〔Ｅｔｈｅｒｎｅｔは登録商標〕と呼ばれるインターフェースが導入され始めている。ＰＯＥでは、従来と同様のＴＣＰ／ＩＰプロトコルだけではなく、接続される端末に電力を供給することも可能である。そこで、このＰＯＥを用いて複合機等の電子機器の省エネルギーを実現することが期待できる。
【０００６】
この発明は上記問題点に着目してなされたものであって、ネットワーク上の電子機器において、より省エネルギーを達成できる電子機器の制御方法を提供することを目的としている。
【課題を解決するための手段】
【０００７】
この発明の電子機器の制御方法は、少なくとも一部の回路部の電源をオフして省エネルギーを図る電子機器において、ネットワーク上の中継装置において、前記電子機器へのパケットを受信した場合には、中継装置から電子機器に給電し、電子機器を省エネルギー状態から通常状態に復帰させることを特徴とする。
【０００８】
この発明では、中継装置が電子機器へのパケットを受信すると、中継装置より電子機器に給電し、給電を受けて電子機器は省エネルギー状態から通常状態に復帰する。省エネルギー状態では、電子機器自身、何ら電源オンを必要としない。  この発明において、中継装置からの給電に基づき、例えば、電子機器の電源をオンとする。
【０００９】
また、この発明において、電子機器が省エネルギー状態に移行しようとするときには、前記中継装置に対して給電の停止を依頼する情報を含むパケットを送信することができる。
【発明の効果】
【００１０】
この発明によれば、例えば他の端末装置から、省エネルギー状態にある電子機器に対して、パケット送信された場合、中継装置（ハブ）が電子機器に給電を開始し、この給電により電子機器が通常状態（通常の待機モード）に復帰し、先のパケット及びそれに続くパケットを受信して端末装置からのジョブを電子機器が実行する。そのため、他の端末装置からのジョブが入るまでは、例えば電源オフ状態とでき、常時ＮＩＣに通電しておく場合に比し、より省エネルギーを実現できる。
【００１１】
また、ジョブが終了すると、電子機器より中継装置に給電を停止する旨のパケットを送信し、中継装置は給電を停止し、電子機器は即省エネモードに入り、電力消費無しの状態となるので、この点からもより省エネルギーを実現できる。
【発明を実施するための最良の形態】
【００１２】
以下、実施の形態により、この発明をさらに詳細に説明する。図１はこの発明が実施されるネットワークシステムの機器構成を示すブロック図である。このネットワークシステムは、ＬＡＮ（Ｌｏｃａｌ  Ａｒｅａ  Ｎｅｔｗｏｒｋ）上で、複合機１にハブ（中継装置）２を介してＰＣ３−１、ＰＣ３−２が接続されている。
【００１３】
複合機１は、スキャナ機能、プリンタ機能、コピー機能、ファクシミリ機能を有するとともに、省電力（省エネ）モードと通常モードとを設定可能であり、省電力モードでは一部の回路部の電源がオフされる。この複合機１の具体的な構成は後述する。
【００１４】
ハブ２は、例えばＰＣ３−１からの複合機１へのプリント、あるいはＦＡＸ送信のためのパケットを受信すると、複合機１に対し給電する。給電を受けた複合機１は一部の回路部（後述の回路３４Ｂ）の電源がオフの省電力モードから、これら回路部の電源をオンとする通常モードとするように構成している。
【００１５】
ハブ２は、ここでは制御部４と、スイッチング部５と、ポート６−１、……、６−４とを備えている。ポート６−１によってＰＣ３−１に、ポート２によって複合機１に、ポート６−３によってＰＣ３−２に接続されている。制御部４には、記憶領域４ａを有し、この記憶領域４ａには送受されるパケットのアドレスとデータが記憶される。ハブ２の各ポート６は、図２に示すように、接続機器とのフレーム送受信を行うフレーム送受信部６１と、受信フレームを検出し、制御部４あるいはスイッチング部５へ出力する受信フレーム検出部６２と、スイッチング部５からの送信フレームを検出する送信フレーム検査部６３と、制御部４からの指令によりオンし、電源部からの給電電圧を出力する給電スイッチ部６４とを備えている。
【００１６】
複合機１は、図３に示すように、ＭＰＵ１１と、ＮＣＵ１２と、ＭＯＤＥＭ１３と、ＲＯＭ１４と、ＲＡＭ１５と、画像メモリ１６と、メモリコントローラ１７と、ＣＣＤ１８と、読取画像処理回路１９と、読取用ＣＯＤＥＣ２０と、イメージメモリ２１と、読取機構制御回路２２と、プリント画像処理回路２３と、プリント用ＣＯＤＥＣ２４と、ページメモリ２５と、ＬＳＵ（レーザスキャンユニット）２６と、プリント機構制御回路２７と、ＮＩＣ２８と、電源Ａ２９と、電源Ｂ３０と、スイッチ回路３１とを備えている。
【００１７】
ＭＰＵ１１は、ＲＯＭ１４に格納するプログラムに従い、この装置を構成する各部を制御する。ＮＣＵ１２は、電話回線網（ＰＳＴＮ）３３との接続を制御するとともに、相手先の電話番号（ＦＡＸ番号を含む）に対応した選択（ダイヤル）信号を送出する機能、及び呼出信号を検出するための機能を有する。ＭＯＤＥＭ１３は、ＩＴＵ（国際電気通信連合）−Ｔ勧告Ｔ．３０に従ったファクシミリ伝送手順に基づいて、Ｖ．１７、Ｖ．２７ｔｅｒ、Ｖ．２９等に従った送信データの変調及び受信データの復調を行う。あるいは、これらに加えてＶ．３４に従った送信データの変調及び受信データの復調を行う。
【００１８】
ＲＯＭ１４は、この装置を制御するためのプログラムを記憶する。ＲＡＭ１５は、ＭＰＵ１１が処理するデータを一時的に記憶する。画像メモリ１６は、受信した画像データやＣＣＤ１８で読み取った画像データを記憶する。メモリコントローラ１７は、ＭＰＵ１１の指令に基づき、各種メモリへのデータの読み／書きを制御する。
【００１９】
ＣＣＤ１８は、原稿をコピーする際に、あるいは原稿をファクシミリ送信する際に原稿をスキャンして読み取るための読み取りセンサである。読取画像処理回路１９は、ＣＣＤ１８で読み取った画像データのシェーディング補正、ガンマ補正、２値化等の画像処理、イメージメモリ２１への記憶等の画像処理を行う。読取用ＣＯＤＥＣは、読み取った画像データを、例えば送信するために、ＭＨ、ＭＲ、ＭＭＲ方式等により符号化（エンコード）する。読取機構制御回路２２は、読取部の光学系の移動機構等を制御する。
【００２０】
プリント画像処理回路２３は、ページメモリ２５に格納された印字すべき画像データを読み出し、画像処理を施し、レーザプリンタを構成するＬＳＵ２６に印字データ、クロック信号等を供給する。プリント用ＣＯＤＥＣ２４は、プリント画像処理時の画像データの符号化／復号に使用する。ＬＳＵ２６は、プリント画像処理回路２３からの画像データを受けて、レーザダイオードに印加して、レーザダイオードを発光させるとともに、ポリゴンミラーを回転させて、感光体をレーザ光でスキャンし、感光体ドラム表面を露光し、よく知られたプリント処理を実行する（レーザダイオード、ポリゴンミラー、感光体ドラム等は、図示省略）。プリント機構制御回路２７は、ＭＰＵ１１からの指令により、プリンタの搬送部等の機構部を駆動制御する。ＮＩＣ２８はハブ２に接続するためのインターフェースカードである。
【００２１】
上記の各構成回路のうち、ＭＰＵ１１、ＮＣＵ１２、ＭＯＤＥＭ１３、ＲＯＭ１４、ＲＡＭ１５、画像メモリ１６、メモリコントローラ１７を含む回路３４Ａは、ＦＡＸ受信には動作可能な状態となっていることが必要な回路部であり、電源Ａ２９より常時電源を供給している。
【００２２】
これに対し、ＣＣＤ１８、読取画像処理回路１９、読取用ＣＯＤＥＣ２０、イメージメモリ２１、読取機構制御回路２２、プリント画像処理回路２３、プリント用ＣＯＤＥＣ２４、ページメモリ２５、ＬＳＵ２６、プリント機構制御回路２７、及びＮＩＣ２８を含む回路３４Ｂは、プリント、スキャナに関連する回路部であり、省電力モードでは電源をオフにしておき、必要な時に電源をオンして通常状態とできるように、電源Ｂ３０からスイッチ回路３１を介して電源を供給するようにしている。スイッチ回路３１はハブ２からの給電によりリレーが動作し、スイッチ部がオンされる。
【００２３】
次に、この実施形態システムにおいて、端末装置、例えばＰＣ３−１からプリント依頼がハブ２を介して複合機１に送られる場合のハブ２及び複合機１の処理動作を説明する。先ず、ＰＣ３−１よりのパケット受信時の処理動作を図４、図５に示すフロー図を参照して説明する。
【００２４】
ハブ２では、ステップＳＴ１において、ＰＣ３−１より、複合機（ＭＦＰ）１へのパケットを受信すると、これを制御部４のメモリ４ａに格納する。この場合、ＰＣ３−１からポート６−１、スイッチング部５を経てパケット受信され、メモリ４ａにパケットのアドレス及びデータが記憶される。次に、ステップＳＴ２へ移行する。ステップＳＴ２においては、制御部４で受信したパケットのアドレスが複合機１であることに応じ、ポート６−２の給電スイッチ部６４をオンし、複合機１への給電を開始する。次に、ステップＳＴ３へ移行する。ステップＳＴ３においては、タイマＴをスタートさせる。このタイマＴは、給電開始してからＴ時間内に複合機１から応答があるか否かを判定するためのタイマである。
【００２５】
一方、複合機１では、ハブ２の給電スイッチ部６４からの給電により、スイッチ回路３１がオンし、回路３４Ｂに電源Ｂ３０より、電源電圧が供給される。そして、ステップＳＴ１１において、回路３４Ｂの回路各部のイニシャライズが実行される。次に、所定時間をおいて、次に、ステップＳＴ１２へ移行し、ハブ２に対し“Ｒｅａｄｙ”のパケット送信を行う。この“Ｒｅａｄｙ”のパケット送信は、ポート６−２のフレーム送受信部６１、受信フレーム検出部６２、スイッチング部５を経て、制御部４に取り込まれる。
【００２６】
ハブ２では、ステップＳＴ３でタイマＴをスタートさせた後、ステップＳＴ４へ移行する。ステップＳＴ４においては、タイマＴがタイムアップしたか否か判定する。タイムアップでない場合は、ステップＳＴ５へ移行する。ステップＳＴ５においては、複合機１より“Ｒｅａｄｙ”のパケットを受信か否か判定する。複合機１のステップＳＴ１２で“Ｒｅａｄｙ”がパケット送信され、これをハブ２で受信した場合は、ステップＳＴ６へ移行する。一方、また“Ｒｅａｄｙ”のパケットを受信していない場合は、ステップＳＴ４に戻る。そして、ステップＳＴ４でタイマＴがタイムアップと判定されるまでは、ステップＳＴ４、ＳＴ５の処理を繰り返す。
【００２７】
ハブ２において、タイマＴがタイムアップした時点で、なお“Ｒｅａｄｙ”のパケットを受信できない場合は、そのままリターンする。タイマＴがタイムアップするまでに“Ｒｅａｄｙ”のパケットを受信すると、ステップＳＴ６へ移行する。ステップＳＴ６においては、メモリ４ａに格納したパケットを複合機１へ送信する。複合機１ではステップＳＴ１３において、ハブ２より送信されて来たパケットを受信する。そして、複合機１においては、その後、受信パケットに係るジョブを実行する。
【００２８】
次に、複合機１において、ジョブが終了し、省電力モードへ移行する場合の複合機１及びハブ２における処理を図６、図７に示すフロー図を参照して説明する。複合機１でジョブが終了すると、ステップＳＴ２１において、省電力モード移行か否か判定する。この省電力モードへの移行か否かの判定は、装置がジョブ終了を自動判定した場合、あるいは省電力モードへの移行キーをユーザが操作した場合等に基づいてなされる。
【００２９】
ジョブ終了なので、判定「はい」で、ステップＳＴ２２へ移行する。一方、判定「いいえ」の場合はリターンする。ステップＳＴ２２においては、ハブ２に対し、給電オフのパケットを送信する。
【００３０】
ハブ２において、パケット受信の処理ルーチンに入ると、ステップＳＴ３１において、パケット受信か否かを判定する。ここで、パケット受信の場合は、ステップＳＴ３２へ移行する。一方、パケット受信していない場合は、リターンする。
【００３１】
ステップＳＴ３２においては、パケット受信が複合機１のステップＳＴ２２で送信された給電オフのパケット受信か否かを判定する。複合機１からの給電オフのパケット送信を受信した場合であると、ステップＳＴ３３へ移行する。一方、複合機１からの給電オフのパケット受信でない場合は、リターンする。ステップＳＴ３３においては、ＰＯＥの給電停止を行う。つまり、ハブ２における給電スイッチ部６４をオフし、電源部からの電圧が複合機１のスイッチ回路３１のリレーに供給されないようにする。この給電停止により、スイッチ回路３１がオフし、電源Ｂ３０から回路３４Ｂへの電源電圧の供給が停止され、複合機１は回路３４Ｂの電源オフの省電力モードとなる。
【図面の簡単な説明】
【００３２】
【図１】この発明が実施されるネットワークのシステムの機器構成を示すブロック図である。
【図２】同実施形態ネットワークシステムのハブのポートの構成を示すブロック図である。
【図３】同実施形態ネットワークシステムの複合機の構成を示すブロック図である。
【図４】同実施形態ネットワークシステムにおける複合機の省電モードから通常モードへのモード切替時のハブの処理動作を説明するためのフロー図である。
【図５】同省電モードから通常モードへのモード切替時の複合機の処理動作を説明するためのフロー図である。
【図６】同実施形態ネットワークシステムにおける複合機の通常モードから省電モードに復帰させる場合の複合機の処理動作を説明するためのフロー図である。
【図７】同通常モードから省電モードに復帰させる場合のハブの処理動作を説明するためのフロー図である。
【符号の説明】
【００３３】
１          複合機
２          ハブ
３-1、３-2  ＰＣ
１１        ＭＰＵ
１２        ＮＣＵ
１３        ＭＯＤＥＭ
１４        ＲＯＭ
１５        ＲＡＭ
１６        画像メモリ
１７        メモリコントローラ
１８        ＣＣＤ
１９        読取画像処理回路
２０        読取用ＣＯＤＥＣ
２１        イメージメモリ
２２        読取機構制御回路
２３        プリント画像処理回路
２４        プリント用ＣＯＤＥＣ
２５        ページメモリ
２６        ＬＳＵ
２７        プリント機構制御回路
２８        ＮＩＣ
２９        電源Ａ
３０        電源Ｂ
３１        スイッチ回路
【図１】
2006135822.tif 000003
【図２】
2006135822.tif 000004
【図３】
2006135822.tif 000005
【図４】
2006135822.tif 000006
【図５】
2006135822.tif 000007
【図６】
2006135822.tif 000008
【図７】
2006135822.tif 000009